(57)【要約】【課題】高齢や疾病により、掛けふとん等の寝具が重く感じる、手先の力が弱まったりしたときに、寝具を上へ引き上げにくい、体に纏わり付いた寝具を直したり、ベッドからずり落ちそうになった寝具を元の位置に戻しにくい等不都合があるので、体にかかる寝具の体感重量を軽減し、寝具を持ち易くかつ動かし易くして、寝床動作を容易にする自助具としての寝具システムが必要である。【解決手段】寝具の左右両側に３ヵ所から７ヵ所、足元側に３ヵ所から５ヵ所に吊り取っ手を、ならびに寝具の頭側の２ヵ所に、引き寄せ取っ手をつけるとともに、ベッド柵にスライド式クリップを付けた引き寄せ取っ手付スライド式吊り寝具システムである。【選択図】図６
2008161621.tif 000002
【特許請求の範囲】
【請求項１】
寝具の左右両側に３ヵ所から７ヵ所、足元側に３ヵ所から５ヵ所に吊り取っ手を、ならびに寝具の頭側の２ヵ所に、引き寄せ取っ手をつけるとともに、ベッド柵にスライド式クリップを付けた引き寄せ取っ手付スライド式吊り寝具システムである。
【請求項２】
請求項１の寝具の足側左横の半分弱、足元側、足側右横の半分弱の３ヵ所にコード通しを、縫付けておき、足側両角にコードストッパー用孔を開け、足側両角にコード収納ポケットを有し、コードの一端を足側左横のコード通し中央側に縫い止めておく。次に、コードの他端を、足側左横のコード通しに通し、左足側角の孔部分でコードストッパーおよびループエンドを通し、つぎに、足元側のコード通しに通し、さらに、右足側角の孔部分でコードストッパーおよびループエンドを通し、足側右横のコード通しにコードを通し中央側に縫い止めてある引き寄せ取っ手付スライド式吊り寝具システムである。
【発明の詳細な説明】
【技術分野】
【０００１】  高齢や疾病により、掛けふとん等の寝具が重く感じる、寝返りがうちにくい手先の力が弱まったりしたときに、寝具を上に引き上げにくい、体に纏わり付いた寝具を直したり、ベッドからずり落ちそうになった寝具を元の位置に戻しにくい等不都合がある。それらに対応して身体にかかる寝具の重みを軽減し、寝具を持ち易くかつ動かし易くして、寝床動作を容易にする自助具としての寝具システムである。
【背景技術】
【０００２】  高齢や疾病により、体力が落ち寝具が重く感じたり、手先の力が弱まったりしたときに、寝具の体感重量を軽くするとともに、介助者の手助け無しに、ベッド上で寝床動作が容易にできる寝具システムが必要である。【０００３】  従来から身体にかかる寝具の重みを軽減する方法として、身体に夜具の重みを感じさせないように、夜具の中央に鐶を付け、紐で天井から吊るすようにした釣夜具や、寝具の重さを軽減し、処置部、創部を保護するために用いる離被架、さらには、掛ふとん自体をドーム型に立体的に製造されたエルゴスター掛けふとんなどがある。【０００４】
【非特許文献１】広辞苑、第五版、岩波書店における釣夜具
【非特許文献２】最新看護用語辞典・第６版、メヂカルフレンド社（２０００）における離被架
【非特許文献３】吉兼令晴  繊維機械学会誌  Ｖｏｌ．５９，Ｎｏ．１１，ｐ．３２（２００６）におけるエルゴスター掛けふとん
【発明の開示】
【発明が解決しようとする課題】
【０００５】  釣夜具は現在の住宅には適合しにくく、離被架は、寝具の重さを軽減する効果はあるが、空間が空きすぎて、嫌がられる傾向にある。また、エルゴスターで、体感重量は軽減されるが、寝具を持ち易くかつ動かし易くする機能はない。
【課題を解決するための手段】
【０００６】  課題を解決するために、掛けふとん、肌掛けふとん、毛布、タオルケット、起毛シーツ等寝具の左右両側に３ヵ所から７ヵ所、足元側に３ヵ所から５ヵ所に吊り取っ手を、ならびに寝具の頭側の２ヵ所に、引き寄せ取っ手をつけるとともに、ベッド柵にスライド式クリップを付けた引き寄せ取っ手付スライド式吊り寝具システムである。
【発明の効果】
【０００７】  ベッド柵のスライド式クリップで寝具付属の吊り取っ手を挟み寝具を吊ることにより、寝具が持ち上げられ適度な空間ができ、体感重量が軽くなる寝具を提供できる。【０００８】  ベッド柵のスライド式クリップで寝具付属の吊り取っ手を挟み寝具を吊ることにより、寝具が持ち上げられ適度な空間ができ、長期間臥床したために起こる可能性が多い足関節が足底屈曲位に拘縮を起こした状態である尖足を防ぐ。【０００９】  ベッド柵のスライド式クリップで寝具付属の吊り取っ手を挟み寝具を吊ることにより、寝具の位置がある程度固定されて、寝返りがうちやすい。【００１０】  ベッド柵のスライド式クリップで寝具付属の吊り取っ手を挟み寝具を吊ることにより、寝具の位置がある程度固定され、寝具が身体に纏わり付きにくい。【００１１】  ベッド柵のスライド式クリップで寝具付属の吊り取っ手を挟み寝具を吊ることにより、寝具の動きがある程度制限され、寝具がベッドからずり落ちない。【００１２】  吊り取っ手を挟んだベッド柵のスライド式クリップがスライドするので、力が弱くても、小さい力で、寝具を引き寄せたり、畳んだりすることが容易にできる。【００１３】  握力が弱ったりして手に力の入り難い人でも、引き寄せ取っ手を持つ、あるいは引き寄せ取っ手に手首を入れることによりにより、寝具を動かすことが容易にできる。【００１４】  自力での就寝時の場合には、ベッドに登り降りする側の反対側の足側半分と足元側およびベッドに登り降りする側の足元のみ寝具をベッドに吊るすと、登り降りは普通にできて、寝て足を入れると、寝具はある程度浮いていて、身体への圧迫が少なく、且つ肩まで引き上げるときにはクリップの輪がスライドするので、軽く引き寄せることが可能となる。【００１５】  寝具を吊り上げることにより、足側両角付近に隙間ができる寝具においては、コード通しに、足元の両角の孔部分でコードストッパーとループエンドを通しながらコードを通してある引き寄せ取っ手付スライド式吊り寝具システムを用いて、足元の両角のコードを絞り、コードストッパーで留めると、両角付近にギャザーが寄り、ふとんの裾がマットに添い隙間が開かない。これと共に、寝具のギャザーによって高さができ、足元に空間を作ることにもなる【００１６】  コード収納ボックスおよび留め具を用いると、引き出されたコード、コードストッパー、ループエンドによる引っ掛けの危険を避けることができる。【００１７】  絞ったコードを緩めると平面に戻るので、フラットな状態での使用や片付け時に便利である。
【発明を実施するための最良の形態】
【００１８】  寝具の左右両側の端から約足長分入ったところ３ヵ所、足元側に３ヵ所に吊り取っ手を付け、寝具の頭側の２ヵ所に、引き寄せ取っ手をつける。また、ベッド柵片側には足側半分に３個、足元側に３個、他方の片側には足元寄りに２個のスライド式クリップを付け、このスライド式クリップで寝具付属の吊り取っ手を挟み、スライド式クリップをスライドさせる引き寄せ取っ手付スライド式吊り寝具システムである。
【実施例】
【００１９】  寝具の足側左横の半分弱、足元側、足側右横の半分弱の３ヵ所にコード通しを、縫付けておき、足側両角にコードストッパー用孔を開け、足側両角にコード収納ポケットを有し、コードの一端を足側左横のコード通し中央側に縫い止めておく。コードの他端を足側左横のコード通しに通し、左足側角の孔部分でコードストッパーおよびループエンドを通し、つぎに、足元側のコード通しに通し、さらに、右足側角の孔部分でコードストッパーおよびループエンドを通し、足側右横のコード通しにコードを通し中央側に縫い止めることもできる。【００２０】  引き寄せ取っ手を付けないで用いる場合もある。【００２１】  吊り取っ手は吊りテープに代えて紐や鐶を用いて良い。【００２２】  スライド式クリップはチェーン、カードリング、紐やテープ、ビーズタイを用いても良い。【００２３】  ループエンドに代えてリングを用いても良い。
【産業上の利用可能性】
【００２４】  高齢や疾病により、掛けふとん等の寝具が重く感じる、手先の力が弱まったりしたときに、寝具を上に引き上げにくい、寝返りをうちにくい、体に纏わり付いた寝具を直したり、ベッドからずり落ちそうになった寝具を元の位置に戻しにくい等不都合があるので、身体にかかる寝具の重みを軽減し、寝具を持ち易く動かし易くして、介助者の手助け無しに寝床動作を容易にする寝具システムが要望されており、高齢社会において、ますます必要性は増加する。
【図面の簡単な説明】
【００２５】
【図１】  吊り寝具の一例
【図２】  吊り寝具にギャザー用コードを入れた一例
【図３】  吊り寝具に引き寄せ取っ手を付けた一例
【図４】  寝具の吊り取っ手とベッド柵に取り付けたスライド式クリップの一例
【図５】  スライド式クリップで吊り取っ手を挟み、寝具を吊り上げた状態
【図６】  スライド式クリップで吊り取っ手が挟まれ吊り上げられた寝具の広げた状態
【図７】  スライド式クリップで吊り取っ手が挟まれ吊り上げられた寝具の畳んだ状態
【図８】  コード通しにコードを通した状態（寝具を裏向けてみた図）
【図９】  コードを絞り、コードストッパーで留めた状態（寝具を裏向けてみた図）
【図１０】  コード、コードストッパー、ループエンドをコード収納ポッケットへ収納し、留め具で留めた状態（寝具を裏向けて、収納ポケットをみた図）
【符号の説明】
【００２６】１  寝具本体
２  吊り取っ手
３  コード通し
４  コード
５  コードストッパー
６  ループエンド
７  コード収納ポケット
８  留め具
９  引き寄せ取っ手
Ａ  スライド式クリップ
Ａ１〜Ａ８  寝具を広げた状態でのスライド式クリップの位置
Ａ１′〜Ａ８′  寝具を畳んだ状態でのスライド式クリップの位置
【図１】
2008161621.tif 000003
【図２】
2008161621.tif 000004
【図３】
2008161621.tif 000005
【図４】
2008161621.tif 000006
【図５】
2008161621.tif 000007
【図６】
2008161621.tif 000008
【図７】
2008161621.tif 000009
【図８】
2008161621.tif 000010
【図９】
2008161621.tif 000011
【図１０】
2008161621.tif 000012
【手続補正書】
【提出日】平成19年1月23日(2007.1.23)
【手続補正１】
【補正対象書類名】明細書
【補正対象項目名】全文
【補正方法】変更
【補正の内容】
【発明の詳細な説明】
【技術分野】
【０００１】  高齢や疾病により、掛けふとん等の寝具が重く感じる、寝返りがうちにくい手先の力が弱まったりしたときに、寝具を上に引き上げにくい、体に纏わり付いた寝具を直したり、ベッドからずり落ちそうになった寝具を元の位置に戻しにくい等不都合がある。それらに対応して身体にかかる寝具の重みを軽減し、寝具を持ち易くかつ動かし易くして、寝床動作を容易にする自助具としての寝具システムである。
【背景技術】
【０００２】  高齢や疾病により、体力が落ち寝具が重く感じたり、手先の力が弱まったりしたときに、寝具の体感重量を軽くするとともに、介助者の手助け無しに、ベッド上で寝床動作が容易にできる寝具システムが必要である。【０００３】  従来から身体にかかる寝具の重みを軽減する方法として、身体に夜具の重みを感じさせないように、夜具の中央に鐶を付け、紐で天井から吊るすようにした釣夜具や、寝具の重さを軽減し、処置部、創部を保護するために用いる離被架、さらには、掛ふとん自体をドーム型に立体的に製造されたエルゴスター掛けふとんなどがある。【０００４】
【非特許文献１】広辞苑、第五版、岩波書店における釣夜具
【非特許文献２】最新看護用語辞典・第６版、メヂカルフレンド社（２０００）における離被架
【非特許文献３】吉兼令晴  繊維機械学会誌  Ｖｏｌ．５９，Ｎｏ．１１，ｐ．３２（２００６）におけるエルゴスター掛けふとん
【発明の開示】
【発明が解決しようとする課題】
【０００５】  釣夜具は現在の住宅には適合しにくく、離被架は、寝具の重さを軽減する効果はあるが、空間が空きすぎて、嫌がられる傾向にある。また、エルゴスターで、体感重量は軽減されるが、寝具を持ち易くかつ動かし易くする機能はない。
【課題を解決するための手段】
【０００６】  課題を解決するために、掛けふとん、肌掛けふとん、毛布、タオルケット、起毛シーツ等寝具の左右両側に３ヵ所から７ヵ所、足元側に３ヵ所から５ヵ所に吊り取っ手を、ならびに寝具の頭側の２ヵ所に、引き寄せ取っ手をつけるとともに、ベッド柵にスライド式クリップを付けた引き寄せ取っ手付スライド式吊り寝具システムである。
【発明の効果】
【０００７】  ベッド柵のスライド式クリップで寝具付属の吊り取っ手を挟み寝具を吊ることにより、寝具が持ち上げられ適度な空間ができ、体感重量が軽くなる寝具を提供できる。【０００８】  ベッド柵のスライド式クリップで寝具付属の吊り取っ手を挟み寝具を吊ることにより、寝具が持ち上げられ適度な空間ができ、長期間臥床したために起こる可能性が多い足関節が足底屈曲位に拘縮を起こした状態である尖足を防ぐ。【０００９】  ベッド柵のスライド式クリップで寝具付属の吊り取っ手を挟み寝具を吊ることにより、寝具の位置がある程度固定されて、寝返りがうちやすい。【００１０】  ベッド柵のスライド式クリップで寝具付属の吊り取っ手を挟み寝具を吊ることにより、寝具の位置がある程度固定され、寝具が身体に纏わり付きにくい。【００１１】  ベッド柵のスライド式クリップで寝具付属の吊り取っ手を挟み寝具を吊ることにより、寝具の動きがある程度制限され、寝具がベッドからずり落ちない。【００１２】  吊り取っ手を挟んだベッド柵のカーテンレールまたはカーテンレール構造部分に取り付けたスライド式クリップがスライドするので、力が弱くても、小さい力で、寝具を引き寄せたり、畳んだりすることが容易にできる。【００１３】  握力が弱ったりして手に力の入り難い人でも、引き寄せ取っ手を持つ、あるいは引き寄せ取っ手に手首を入れることによりにより、寝具を動かすことが容易にできる。【００１４】  自力での就寝時の場合には、ベッドに登り降りする側の反対側の足側半分と足元側およびベッドに登り降りする側の足元のみ寝具をベッドに吊るすと、登り降りは普通にできて、寝て足を入れると、寝具はある程度浮いていて、身体への圧迫が少なく、且つ肩まで引き上げるときにはクリップの輪がスライドするので、軽く引き寄せることが可能となる。【００１５】  寝具を吊り上げることにより、足側両角付近に隙間ができる寝具においては、コード通しに、足元の両角の孔部分でコードストッパーとループエンドを通しながらコードを通してある引き寄せ取っ手付スライド式吊り寝具システムを用いて、足元の両角のコードを絞り、コードストッパーで留めると、両角付近にギャザーが寄り、ふとんの裾がマットに添い隙間が開かない。これと共に、寝具のギャザーによって高さができ、足元に空間を作ることにもなる【００１６】  コード収納ボックスおよび留め具を用いると、引き出されたコード、コードストッパー、ループエンドによる引っ掛けの危険を避けることができる。【００１７】  絞ったコードを緩めると平面に戻るので、フラットな状態での使用や片付け時に便利である。
【発明を実施するための最良の形態】
【００１８】  寝具の左右両側の端から約足長分入ったところ３ヵ所、足元側に３ヵ所に吊り取っ手を付け、寝具の頭側の２ヵ所に、引き寄せ取っ手をつける。また、ベッド柵片側には足側半分に３個、足元側に３個、他方の片側には足元寄りに２個のスライド式クリップを付け、このスライド式クリップで寝具付属の吊り取っ手を挟み、スライド式クリップをスライドさせる引き寄せ取っ手付スライド式吊り寝具システムである。
【実施例】
【００１９】  寝具の足側左横の半分弱、足元側、足側右横の半分弱の３ヵ所にコード通しを、縫付けておき、足側両角にコードストッパー用孔を開け、足側両角にコード収納ポケットを有し、コードの一端を足側左横のコード通し中央側に縫い止めておく。コードの他端を足側左横のコード通しに通し、左足側角の孔部分でコードストッパーおよびループエンドを通し、つぎに、足元側のコード通しに通し、さらに、右足側角の孔部分でコードストッパーおよびループエンドを通し、足側右横のコード通しにコードを通し中央側に縫い止めることもできる。【００２０】  引き寄せ取っ手を付けないで用いる場合もある。【００２１】  吊り取っ手は吊りテープに代えて紐や鐶を用いて良い。【００２２】ベッド柵にカーテンレールまたはカーテンレール構造部分を取り付けることができ、そのカーテンレールまたはカーテンレール構造部分にスライド式クリップを付設できる。【００２３】  スライド式クリップはチェーン、カードリング、紐やテープ、ビーズタイを用いても良い。【００２４】  ループエンドに代えてリングを用いても良い。
【産業上の利用可能性】
【００２５】  高齢や疾病により、掛けふとん等の寝具が重く感じる、手先の力が弱まったりしたときに、寝具を上に引き上げにくい、寝返りをうちにくい、体に纏わり付いた寝具を直したり、ベッドからずり落ちそうになった寝具を元の位置に戻しにくい等不都合があるので、身体にかかる寝具の重みを軽減し、寝具を持ち易く動かし易くして、介助者の手助け無しに寝床動作を容易にする寝具システムが要望されており、高齢社会において、ますます必要性は増加する。
【図面の簡単な説明】
【００２６】
【図１】  吊り寝具の一例
【図２】  吊り寝具にギャザー用コードを入れた一例
【図３】  吊り寝具に引き寄せ取っ手を付けた一例
【図４】  寝具の吊り取っ手とベッド柵に取り付けたスライド式クリップの一例
【図５】  スライド式クリップで吊り取っ手を挟み、寝具を吊り上げた状態
【図６】  スライド式クリップで吊り取っ手が挟まれ吊り上げられた寝具の広げた状態
【図７】  スライド式クリップで吊り取っ手が挟まれ吊り上げられた寝具の畳んだ状態
【図８】  コード通しにコードを通した状態（寝具を裏向けてみた図）
【図９】  コードを絞り、コードストッパーで留めた状態（寝具を裏向けてみた図）
【図１０】  コード、コードストッパー、ループエンドをコード収納ポッケットへ収納し、留め具で留めた状態（寝具を裏向けて、収納ポケットをみた図）
【符号の説明】
【００２７】１  寝具本体
２  吊り取っ手
３  コード通し
４  コード
５  コードストッパー
６  ループエンド
７  コード収納ポケット
８  留め具
９  引き寄せ取っ手
Ａ  スライド式クリップ
Ａ１〜Ａ８  寝具を広げた状態でのスライド式クリップの位置
Ａ１′〜Ａ８′  寝具を畳んだ状態でのスライド式クリップの位置